【手続補正書】
【提出日】平成29年8月24日(2017.8.24)
【手続補正１】
【補正対象書類名】特許請求の範囲
【補正対象項目名】全文
【補正方法】変更
【補正の内容】
【特許請求の範囲】
【請求項１】
ワイヤレス通信の方法であって、
アップリンク制御チャネル送信のためのリソースの割り当てを、基地局からユーザ機器（ＵＥ）によって、受信することと、
前記ＵＥのために構成される１つ以上のキャリアと関連付けられたクリアチャネル評価（ＣＣＡ）情報に、少なくとも部分的に、基づいてアップリンク制御情報（ＵＣＩ）を、前記ＵＥで、決定することと、
前記割り当てられたリソースを介して、ＵＣＩを前記基地局に、前記ＵＥによって、送信することと、
を備える、方法。
【請求項２】
ＵＣＩのペイロードの総計のサイズは、前記ＵＥのために構成される前記１つ以上のキャリアと関連付けられたＣＣＡ情報に少なくとも部分的に基づいて決定される、請求項１に記載の方法。
【請求項３】
前記割り当てられたリソースを介して、ＵＣＩを送信するための少なくとも１つの制御チャネル形式を決定することをさらに含む、請求項１に記載の方法。
【請求項４】
前記送信することは、
２つ以上の物理リソースブロック（ＰＲＢｓ）にわたって２つ以上のアップリンク制御チャネルメッセージを並行して送信することを含む、請求項１に記載の方法。
【請求項５】
前記少なくとも１つの制御チャネル形式、および前記割り当てられたリソースのサイズに基づいてコード化されるビットの数を決定することと、
前記ＵＣＩビットを、送信のためにコード化されるビットの前記数にコード化することと、
をさらに含む、請求項１に記載の方法。
【請求項６】
アップリンク制御チャネル送信のためのチャネル容量を、前記ＵＥによって、決定することと、ここにおいて、前記決定することは、
アップリンク制御チャネル送信のための２つ以上の物理リソースブロック（ＰＲＢｓ）を識別することと、
前記少なくとも１つの制御チャネル形式のためのビット容量を決定することと、ここにおいて、前記チャネル容量は、前記ビット容量によって乗算された前記２つ以上のＰＲＢｓにしたがって決定される、
を含む、
をさらに含む、請求項１に記載の方法。
【請求項７】
２つ以上のアップリンク制御チャネルメッセージの各々が、２つ以上の物理リソースブロック（ＰＲＢｓ）の単一のスロットの中で送信される前記２つ以上のアップリンク制御チャネルメッセージの各々の一部にのみ基づいて復号可能であるように前記２つ以上のアップリンク制御チャネルメッセージを符号化することをさらに含む、請求項１に記載の方法。
【請求項８】
前記アップリンク制御チャネルの送信のために電力レベルを決定すること、ここにおいて、前記決定することは、前記割り当てられたリソースのサイズ、および前記ＵＣＩのペイロードのサイズに基づき、前記送信することは、前記決定された電力制御にしたがって実行される、
をさらに含む、請求項１に記載の方法。
【請求項９】
２つ以上のＰＲＢｓのうちの第１のＰＲＢの中の２つ以上のアップリンク制御チャネルメッセージのうちの第１のものの送信のために、前記ＵＥによって、第１のリソースを識別することと、
前記２つ以上のＰＲＢｓのうちの第２のＰＲＢの中の前記２つ以上のアップリンク制御チャネルメッセージのうちの第２のものの送信のために前記ＵＥによって、第２のリソースを識別することと、ここにおいて、前記第２のリソースは、前記第１のリソースに基づいて決定される、
をさらに含む、請求項１に記載の方法。
【請求項１０】
前記第２のリソースの前記決定は、
ＣＣＡロケーションと、
前記基地局のセル識別子（ＩＤ）と、
無線リソース制御（ＲＲＣ）構成と、
のうちの１つ以上にさらに依存する、請求項９に記載の方法。
【請求項１１】
前記ＵＣＩは、
ハイブリッド自動再送要求（ＨＡＲＱ）肯定応答情報と、
スケジューリング要求（ＳＲ）と、
チャネルステート情報（ＣＳＩ）と、
のうちの１つ以上を含む、請求項１に記載の方法。
【請求項１２】
前記割り当てられたリソースの中に２つ以上のアップリンク制御チャネルメッセージ、ここで、前記少なくとも１つの制御チャネル形式の２つ以上の異なるものは、同じサブフレームの中の前記２つ以上のアップリンク制御チャネルメッセージのために使用される、をさらに含む、請求項１に記載の方法。
【請求項１３】
前記少なくとも１つの制御チャネル形式は、前記ＵＥによって、動的に選択され、
前記複数の制御チャネル形式の各々のためのしきい値容量を決定することと、
前記ＵＣＩのペイロードのサイズを前記しきい値容量と比較することと、
前記比較に基づいて前記複数の制御チャネル形式から前記制御チャネル形式を選択することと、
をさらに含む、請求項１２に記載の方法。
【請求項１４】
ワイヤレス通信のために構成される装置であって、
アップリンク制御チャネル送信のためのリソースの割り当てを、基地局からユーザ機器（ＵＥ）によって、受信するための手段と、
前記ＵＥのために構成される１つ以上のキャリアと関連付けられたクリアチャネル評価（ＣＣＡ）情報に、少なくとも部分的に、基づいてアップリンク制御情報（ＵＣＩ）を、前記ＵＥで、決定するための手段と、
前記割り当てられたリソースを介して、ＵＣＩを前記基地局に、前記ＵＥによって、送信するための手段と、
を備える、装置。
【請求項１５】
実行されるとき、コンピュータに、請求項１乃至１３のいずれか一項に記載の方法を実行させる命令を備える、コンピュータプログラム。
【手続補正２】
【補正対象書類名】明細書
【補正対象項目名】００８６
【補正方法】変更
【補正の内容】
【００８６】
[0096]  本開示の先の説明は、あらゆる当業者が本開示を製造または使用することを可能にするために提供される。本開示への様々な変更は、当業者に容易に明らかとなり、本明細書において定義された包括的な原理は、本開示の趣旨または範囲から逸脱することなく他のバリエーションに適用され得る。ゆえに、本開示は、本明細書に説明された例および設計に限定されるように意図されず、本明細書に開示された原理および新規の特徴と一致する最も幅広い範囲が付与されるべきである。
以下に、本願出願の当初の特許請求の範囲に記載された発明を付記する。
［Ｃ１］
ワイヤレス通信の方法であって、
アップリンク制御チャネル送信のためのリソースの割り当てを、基地局からユーザ機器（ＵＥ）によって、受信することと、
前記ＵＥのために構成される１つ以上のキャリアと関連付けられたクリアチャネル評価（ＣＣＡ）情報に、少なくとも部分的に、基づいてアップリンク制御情報（ＵＣＩ）を、前記ＵＥで、決定することと、
前記割り当てられたリソースを介して、ＵＣＩを前記基地局に、前記ＵＥによって、送信することと、
を備える、方法。
［Ｃ２］
ＵＣＩのペイロードの総計のサイズは、前記ＵＥのために構成される前記１つ以上のキャリアと関連付けられたＣＣＡ情報に少なくとも部分的に基づいて決定される、Ｃ１に記載の方法。
［Ｃ３］
前記割り当てられたリソースを介して、ＵＣＩを送信するための少なくとも１つの制御チャネル形式を決定することをさらに含む、Ｃ１に記載の方法。
［Ｃ４］
前記送信することは、
２つ以上の物理リソースブロック（ＰＲＢ）ｓにわたって２つ以上のアップリンク制御チャネルメッセージを並行して送信することを含む、Ｃ１に記載の方法。
［Ｃ５］
前記少なくとも１つの制御チャネル形式、および前記割り当てられたリソースのサイズに基づいてコード化されるビットの数を決定することと、
前記ＵＣＩビットを、送信のためにコード化されるビットの前記数にコード化することと、
をさらに含む、Ｃ１に記載の方法。
［Ｃ６］  アップリンク制御チャネル送信のためのチャネル容量を、前記ＵＥによって、決定することと、ここにおいて、前記決定することは、
アップリンク制御チャネル送信のための２つ以上の物理リソースブロック（ＰＲＢｓ）を識別することと、
前記少なくとも１つの制御チャネル形式のためのビット容量を決定することと、ここにおいて、前記チャネル容量は、前記ビット容量によって乗算された前記２つ以上のＰＲＢｓにしたがって決定される、
を含む、
をさらに含む、Ｃ１に記載の方法。
［Ｃ７］
２つ以上のアップリンク制御チャネルメッセージの各々が、２つ以上の物理リソースブロック（ＰＲＢｓ）の単一のスロットの中で送信される前記２つ以上のアップリンク制御チャネルメッセージの各々の一部にのみ基づいて復号可能であるように前記２つ以上のアップリンク制御チャネルメッセージを符号化することをさらに含む、Ｃ１に記載の方法。
［Ｃ８］
前記アップリンク制御チャネルの送信のために電力レベルを決定すること、ここにおいて、前記決定することは、前記割り当てられたリソースのサイズ、および前記ＵＣＩのペイロードのサイズに基づき、前記送信することは、前記決定された電力制御にしたがって実行される、
をさらに含む、Ｃ１に記載の方法。
［Ｃ９］
２つ以上のＰＲＢｓのうちの第１のＰＲＢの中の２つ以上のアップリンク制御チャネルメッセージのうちの第１のものの送信のために、前記ＵＥによって、第１のリソースを識別することと、
前記２つ以上のＰＲＢｓのうちの第２のＰＲＢの中の前記２つ以上のアップリンク制御チャネルメッセージのうちの第２のものの送信のために前記ＵＥによって、第２のリソースを識別することと、ここにおいて、前記第２のリソースは、前記第１のリソースに基づいて決定される、
をさらに含む、Ｃ１に記載の方法。
［Ｃ１０］
前記第２のリソースの前記決定は、
ＣＣＡロケーションと、
前記基地局のセル識別子（ＩＤ）と、
無線リソース制御（ＲＲＣ）構成と、
のうちの１つ以上にさらに依存する、Ｃ９に記載の方法。
［Ｃ１１］
前記ＵＣＩビットの中の１つ以上の衝突ＵＣＩタイプを検出することと、
前記１つ以上の衝突ＵＣＩタイプのうちの１つ以上の、より低いランクのＵＣＩタイプを最大容量まで前記アップリンク制御チャネル送信に多重化することと、ここにおいて、前記最大容量内で多重化されていない前記１つ以上の、より低いランクのＵＣＩタイプのうちの残りのものが、ドロップされる、
をさらに含む、Ｃ１に記載の方法。
［Ｃ１２］
２つ以上のアップリンク制御チャネルメッセージのためのいくつかのコード化ビットに、前記ＵＣＩビットのうちの１つ以上を統合してコード化すること、またはマッピングすることをさらに含む、Ｃ１に記載の方法。
［Ｃ１３］
２つ以上のアップリンク制御チャネルメッセージのためのいくつかのコード化ビットに、前記ＵＣＩビットのうちの１つ以上を別々にコード化すること、またはマッピングすることをさらに含む、Ｃ１に記載の方法。
［Ｃ１４］
前記ＵＣＩは、
ハイブリッド自動再送要求（ＨＡＲＱ）肯定応答情報と、
スケジューリング要求（ＳＲ）と、
チャネルステート情報（ＣＳＩ）と、
のうちの１つ以上を含む、Ｃ１に記載の方法。
［Ｃ１５］
前記１つ以上のＵＣＩビットは、前記ＵＥ上のアップリンクデータバッファのコンテンツと関連付けられる複数のＳＲビットを含む、Ｃ１４に記載の方法。
［Ｃ１６］
前記１つ以上のＵＣＩビットは、ＨＡＲＱ肯定応答情報、ＳＲ、およびＣＳＩのうちの１つ以上のための所定の順番にしたがって配置される、Ｃ１４に記載の方法。
［Ｃ１７］
前記割り当てられたリソースの中に２つ以上のアップリンク制御チャネルメッセージ、ここで、前記少なくとも１つの制御チャネル形式の２つ以上の異なるものは、同じサブフレームの中の前記２つ以上のアップリンク制御チャネルメッセージのために使用される、をさらに含む、Ｃ１に記載の方法。
［Ｃ１８］
前記少なくとも１つの制御チャネル形式は、前記ＵＥによって、動的に選択され、
前記複数の制御チャネル形式の各々のためのしきい値容量を決定することと、
前記ＵＣＩのペイロードのサイズを前記しきい値容量と比較することと、
前記比較に基づいて前記複数の制御チャネル形式から前記制御チャネル形式を選択することと、
をさらに含む、Ｃ１７に記載の方法。
［Ｃ１９］
ワイヤレス通信の方法であって、
アップリンク制御チャネル送信のためのリソースの割り当てを、基地局からユーザ機器（ＵＥ）によって、受信することと、
少なくとも１つの制御チャネル形式にしたがって１つ以上のアップリンク制御チャネルメッセージを、前記ＵＥによって、生成することと、
複数のコンポーネントキャリア（ＣＣｓ）から、送信ＣＣを、前記ＵＥによって、選択することと、ここにおいて、前記送信ＣＣは、前記ＵＥによって、検出されたクリアＣＣＡに基づいて選択され、
前記割り当てられたリソースを介して、前記１つ以上のアップリンク制御チャネルメッセージを、前記基地局に、前記ＵＥによって、送信することと、
を備える、方法。
［Ｃ２０］
アップリンク制御情報（ＵＣＩ）ビットの送信のためにスケジューリングされた複数のキャリアと関連付けられたクリアチャネル評価（ＣＣＡ）情報に、少なくとも部分的に、基づいてＵＣＩのペイロードを、前記ＵＥで、決定すること、ここにおいて、前記１つ以上のアップリンク制御チャネルメッセージは、前記ＵＣＩのペイロードのＵＣＩビットを含む、
をさらに備える、Ｃ１９に記載の方法。
［Ｃ２１］
前記選択することは、
前記ＵＥと関連付けられた前記複数のＣＣｓ上でＣＣＡを実行することと、
前記複数のＣＣｓの１つ以上のクリアＣＣｓ上で前記クリアＣＣＡを検出することと、
所定の基準に基づいて、前記送信ＣＣを前記１つ以上のクリアＣＣｓから選択することと、
をさらに含む、Ｃ１９に記載の方法。
［Ｃ２２］
前記所定の基準は、
無線リソース制御（ＲＲＣ）構成と、
ＣＣインデックスと、
のうちの１つ以上を備える、Ｃ２１に記載の方法。
［Ｃ２３］
ワイヤレス通信の方法であって、
基地局によってサーブされる各ＵＥのために構成される複数のコンポーネントキャリア（ＣＣｓ）のうちの１つ以上のクリアアップリンクＣＣｓを、前記基地局によって、識別することと、
各ＵＥが、アップリンク制御チャネルメッセージを送信することとなる前記１つ以上のクリアアップリンクＣＣｓのアップリンク制御ＣＣを決定することと、
各ＵＥからの前記アップリンク制御チャネルメッセージのために前記アップリンク制御ＣＣをモニタリングすることと、
を備える、方法。
［Ｃ２４］
前記識別することは、
各ＵＥから送信されたチャネル使用ビーコン信号（ＣＵＢＳ）のために前記複数のＣＣｓをモニタリングすること、前記１つ以上のクリアアップリンクＣＣｓは、ＣＵＢＳを含む、
を含む、Ｃ２３に記載の方法。
［Ｃ２５］
前記識別することは、
前記１つ以上のクリアアップリンクＣＣｓ上でＣＵＢＳを検出することに応答して、前記１つ以上のクリアアップリンクＣＣｓ上で復調基準信号（ＤＭＲＳ）を検出することをさらに含む、Ｃ２４に記載の方法。
［Ｃ２６］
ワイヤレス通信のために構成される装置であって、
アップリンク制御チャネル送信のためのリソースの割り当てを、基地局からユーザ機器（ＵＥ）によって、受信するための手段と、
前記ＵＥのために構成される１つ以上のキャリアと関連付けられたクリアチャネル評価（ＣＣＡ）情報に、少なくとも部分的に、基づいてアップリンク制御情報（ＵＣＩ）を、前記ＵＥで、決定するための手段と、
前記割り当てられたリソースを介して、ＵＣＩを前記基地局に、前記ＵＥによって、送信するための手段と、
を備える、装置。
［Ｃ２７］
ＵＣＩのペイロードの総計のサイズは、前記ＵＥのために構成される前記１つ以上のキャリアと関連付けられたＣＣＡ情報に少なくとも部分的に基づいて決定される、Ｃ２６に記載の装置。
［Ｃ２８］
前記割り当てられたリソースを介して、ＵＣＩを送信するための少なくとも１つの制御チャネル形式を決定するための手段をさらに含む、Ｃ２６に記載の装置。
［Ｃ２９］
送信するための前記手段は、
２つ以上の物理リソースブロック（ＰＲＢ）ｓにわたって２つ以上のアップリンク制御チャネルメッセージを並行して送信するための手段を含む、Ｃ２６に記載の装置。
［Ｃ３０］
前記少なくとも１つの制御チャネル形式、および前記割り当てられたリソースのサイズに基づいてコード化されるビットの数を決定するための手段と、
前記ＵＣＩビットを、送信のためにコード化されるビットの前記数にコード化するための手段と、
をさらに含む、Ｃ２６に記載の装置。
［Ｃ３１］
アップリンク制御チャネル送信のためのチャネル容量を、前記ＵＥによって、決定するための手段と、ここにおいて、決定するための前記手段は、
アップリンク制御チャネル送信のための２つ以上の物理リソースブロック（ＰＲＢｓ）を識別するための手段と、
前記少なくとも１つの制御チャネル形式のためのビット容量を決定するための手段と、ここにおいて、前記チャネル容量は、前記ビット容量によって乗算された前記２つ以上のＰＲＢｓにしたがって決定される、
を含む、
をさらに含む、Ｃ２６に記載の装置。
［Ｃ３２］
２つ以上のアップリンク制御チャネルメッセージの各々が、２つ以上の物理リソースブロック（ＰＲＢｓ）の単一のスロットの中で送信される前記２つ以上のアップリンク制御チャネルメッセージの各々の一部にのみ基づいて復号可能であるように前記２つ以上のアップリンク制御チャネルメッセージを符号化するための手段をさらに含む、Ｃ２６に記載の装置。
［Ｃ３３］
前記アップリンク制御チャネルの送信のために電力レベルを決定するための手段、ここにおいて、前記決定することは、前記割り当てられたリソースのサイズ、および前記ＵＣＩのペイロードのサイズに基づき、送信するための前記手段は、前記決定された電力制御にしたがって実行される、
をさらに含む、Ｃ２６に記載の装置。
［Ｃ３４］
２つ以上のＰＲＢｓのうちの第１のＰＲＢの中の２つ以上のアップリンク制御チャネルメッセージのうちの第１のものの送信のために、前記ＵＥによって、第１のリソースを識別するための手段と、
前記２つ以上のＰＲＢｓのうちの第２のＰＲＢの中の前記２つ以上のアップリンク制御チャネルメッセージのうちの第２のものの送信のために前記ＵＥによって、第２のリソースを識別するための手段と、ここにおいて、前記第２のリソースは、前記第１のリソースに基づいて決定される、
をさらに含む、Ｃ２６に記載の装置。
［Ｃ３５］
前記第２のリソースの前記決定は、
ＣＣＡロケーションと、
前記基地局のセル識別子（ＩＤ）と、
無線リソース制御（ＲＲＣ）構成と、
のうちの１つ以上にさらに依存する、Ｃ３４に記載の装置。
［Ｃ３６］
前記ＵＣＩビットの中の１つ以上の衝突ＵＣＩタイプを検出するための手段と、
前記１つ以上の衝突ＵＣＩタイプのうちの１つ以上の、より低いランクのＵＣＩタイプを最大容量まで前記アップリンク制御チャネル送信に多重化するための手段と、ここにおいて、前記最大容量内で多重化されていない前記１つ以上の、より低いランクのＵＣＩタイプのうちの残りのものが、ドロップされる、
をさらに含む、Ｃ２６に記載の装置。
［Ｃ３７］
２つ以上のアップリンク制御チャネルメッセージのためのいくつかのコード化ビットに、前記ＵＣＩビットのうちの１つ以上を統合してコード化する、またはマッピングするための手段をさらに含む、Ｃ２６に記載の装置。
［Ｃ３８］
２つ以上のアップリンク制御チャネルメッセージのためのいくつかのコード化ビットに、前記ＵＣＩビットのうちの１つ以上を別々にコード化する、またはマッピングするための手段をさらに含む、Ｃ２６に記載の装置。
［Ｃ３９］
前記ＵＣＩは、
ハイブリッド自動再送要求（ＨＡＲＱ）肯定応答情報と、
スケジューリング要求（ＳＲ）と、
チャネルステート情報（ＣＳＩ）と、
のうちの１つ以上を含む、Ｃ２６に記載の装置。
［Ｃ４０］
前記１つ以上のＵＣＩビットは、前記ＵＥ上のアップリンクデータバッファのコンテンツと関連付けられる複数のＳＲビットを含む、Ｃ３９に記載の装置。
［Ｃ４１］
前記１つ以上のＵＣＩビットは、ＨＡＲＱ肯定応答情報、ＳＲ、およびＣＳＩのうちの１つ以上のための所定の順番にしたがって配置される、Ｃ３９に記載の装置。
［Ｃ４２］
前記割り当てられたリソースの中に２つ以上のアップリンク制御チャネルメッセージ、ここで、前記少なくとも１つの制御チャネル形式の２つ以上の異なるものは、同じサブフレームの中の前記２つ以上のアップリンク制御チャネルメッセージのために使用される、をさらに含む、Ｃ２６に記載の装置。
［Ｃ４３］
前記少なくとも１つの制御チャネル形式は、前記ＵＥによって、動的に選択され、
前記複数の制御チャネル形式の各々のためのしきい値容量を決定するための手段と、
前記ＵＣＩのペイロードのサイズを前記しきい値容量と比較するための手段と、
比較するための前記手段に基づいて前記複数の制御チャネル形式から前記制御チャネル形式を選択するための手段と、
をさらに含む、Ｃ４２に記載の装置。
［Ｃ４４］
ワイヤレス通信のために構成される装置であって、
アップリンク制御チャネル送信のためのリソースの割り当てを、基地局からユーザ機器（ＵＥ）によって、受信するための手段と、
少なくとも１つの制御チャネル形式にしたがって１つ以上のアップリンク制御チャネルメッセージを、前記ＵＥによって、生成するための手段と、
複数のコンポーネントキャリア（ＣＣｓ）から、送信ＣＣを、前記ＵＥによって、選択するための手段と、ここにおいて、前記送信ＣＣは、前記ＵＥによって、検出されたクリアＣＣＡに基づいて選択され、
前記割り当てられたリソースを介して、前記１つ以上のアップリンク制御チャネルメッセージを、前記基地局に、前記ＵＥによって、送信するための手段と、
を備える、装置。
［Ｃ４５］
アップリンク制御情報（ＵＣＩ）ビットの送信のためにスケジューリングされた複数のキャリアと関連付けられたクリアチャネル評価（ＣＣＡ）情報に、少なくとも部分的に、基づいてＵＣＩのペイロードを、前記ＵＥで、決定するための手段、ここにおいて、前記１つ以上のアップリンク制御チャネルメッセージは、前記ＵＣＩのペイロードのＵＣＩビットを含む、
をさらに含む、Ｃ４４に記載の装置。
［Ｃ４６］
選択するための前記手段は、
前記ＵＥと関連付けられた前記複数のＣＣｓ上でＣＣＡを実行するための手段と、
前記複数のＣＣｓの１つ以上のクリアＣＣｓ上で前記クリアＣＣＡを検出するための手段と、
所定の基準に基づいて、前記送信ＣＣを前記１つ以上のクリアＣＣｓから選択するための手段と、
をさらに含む、Ｃ４４に記載の装置。
［Ｃ４７］
前記所定の基準は、
無線リソース制御（ＲＲＣ）構成と、
ＣＣインデックスと、
のうちの１つ以上を備える、Ｃ４６に記載の装置。
［Ｃ４８］
ワイヤレス通信のために構成される装置であって、
基地局によってサーブされる各ＵＥのために構成される複数のコンポーネントキャリア（ＣＣｓ）のうちの１つ以上のクリアアップリンクＣＣｓを、前記基地局によって、識別するための手段と、
各ＵＥが、アップリンク制御チャネルメッセージを送信することとなる前記１つ以上のクリアアップリンクＣＣｓのアップリンク制御ＣＣを決定するための手段と、
各ＵＥからの前記アップリンク制御チャネルメッセージのために前記アップリンク制御ＣＣをモニタリングするための手段と、
を備える、装置。
［Ｃ４９］
識別するための前記手段は、
各ＵＥから送信されたチャネル使用ビーコン信号（ＣＵＢＳ）のために前記複数のＣＣｓをモニタリングするための手段、前記１つ以上のクリアアップリンクＣＣｓは、ＣＵＢＳを含む、
を含む、Ｃ４８に記載の装置。
［Ｃ５０］
識別するための前記手段は、
前記１つ以上のクリアアップリンクＣＣｓ上でＣＵＢＳを検出することに応答して実行可能である、前記１つ以上のクリアアップリンクＣＣｓ上で復調基準信号（ＤＭＲＳ）を検出するための手段をさらに含む、Ｃ４９に記載の装置。
［Ｃ５１］
プログラムコードを記録した非一時的なコンピュータ可読媒体であって、前記プログラムコードは、
コンピュータに、アップリンク制御チャネル送信のためのリソースの割り当てを、基地局からユーザ機器（ＵＥ）によって、受信させるためのプログラムコードと、
前記コンピュータに、前記ＵＥのために構成される１つ以上のキャリアと関連付けられたクリアチャネル評価（ＣＣＡ）情報に、少なくとも部分的に、基づいてアップリンク制御情報（ＵＣＩ）を、前記ＵＥで、決定させるためのプログラムコードと、
前記コンピュータに、前記割り当てられたリソースを介して、ＵＣＩを前記基地局に、前記ＵＥによって、送信させるためのプログラムコードと、
を備える、非一時的なコンピュータ可読媒体。
［Ｃ５２］
ＵＣＩのペイロードの総計のサイズは、前記ＵＥのために構成される前記１つ以上のキャリアと関連付けられたＣＣＡ情報に少なくとも部分的に基づいて決定される、Ｃ５１に記載の非一時的なコンピュータ可読媒体。
［Ｃ５３］
前記コンピュータに、前記割り当てられたリソースを介して、ＵＣＩを送信するための少なくとも１つの制御チャネル形式を決定させるためのプログラムコードをさらに含む、Ｃ５１に記載の非一時的なコンピュータ可読媒体。
［Ｃ５４］
前記コンピュータに送信させるための前記プログラムコードは、
前記コンピュータに、２つ以上の物理リソースブロック（ＰＲＢ）ｓにわたって２つ以上のアップリンク制御チャネルメッセージを並行して送信させるためのプログラムコード  を含む、Ｃ５１に記載の非一時的なコンピュータ可読媒体。
［Ｃ５５］
前記コンピュータに、前記少なくとも１つの制御チャネル形式、および前記割り当てられたリソースのサイズに基づいてコード化されるビットの数を決定させるためのプログラムコードと、
前記コンピュータに、前記ＵＣＩビットを、送信のためにコード化されるビットの前記数にコード化させるためのプログラムコードと、
をさらに含む、Ｃ５１に記載の非一時的なコンピュータ可読媒体。
［Ｃ５６］
前記コンピュータに、アップリンク制御チャネル送信のためのチャネル容量を、前記ＵＥによって、決定させるためのプログラムコードと、ここにおいて、前記コンピュータに決定させるための前記プログラムコードは、
前記コンピュータに、アップリンク制御チャネル送信のための２つ以上の物理リソースブロック（ＰＲＢｓ）を識別させるためのプログラムコードと、
前記コンピュータに、前記少なくとも１つの制御チャネル形式のためのビット容量を決定させるためのプログラムコードと、ここにおいて、前記チャネル容量は、前記ビット容量によって乗算された前記２つ以上のＰＲＢｓにしたがって決定される、
を含む、
をさらに含む、Ｃ５１に記載の非一時的なコンピュータ可読媒体。
［Ｃ５７］
前記コンピュータに、２つ以上のアップリンク制御チャネルメッセージの各々が、２つ以上の物理リソースブロック（ＰＲＢｓ）の単一のスロットの中で送信される前記２つ以上のアップリンク制御チャネルメッセージの各々の一部にのみ基づいて復号可能であるように前記２つ以上のアップリンク制御チャネルメッセージを符号化させるためのプログラムコードをさらに含む、Ｃ５１に記載の非一時的なコンピュータ可読媒体。
［Ｃ５８］
前記コンピュータに、前記アップリンク制御チャネルの送信のために電力レベルを決定させるためのプログラムコード、ここにおいて、前記コンピュータに決定させるための前記プログラムコードは、前記割り当てられたリソースのサイズ、および前記ＵＣＩのペイロードのサイズに基づき、前記コンピュータに送信させるための前記プログラムコードは、前記決定された電力制御にしたがって実行される、
をさらに含む、Ｃ５１に記載の非一時的なコンピュータ可読媒体。
［Ｃ５９］
前記コンピュータに、２つ以上のＰＲＢｓのうちの第１のＰＲＢの中の２つ以上のアップリンク制御チャネルメッセージのうちの第１のものの送信のために、前記ＵＥによって、第１のリソースを識別させるためのプログラムコードと、
前記コンピュータに、前記２つ以上のＰＲＢｓのうちの第２のＰＲＢの中の前記２つ以上のアップリンク制御チャネルメッセージのうちの第２のものの送信のために前記ＵＥによって、第２のリソースを識別させるためのプログラムコードと、ここにおいて、前記第２のリソースは、前記第１のリソースに基づいて決定される、
をさらに含む、Ｃ５１に記載の非一時的なコンピュータ可読媒体。
［Ｃ６０］
前記第２のリソースの前記決定は、
ＣＣＡロケーションと、
前記基地局のセル識別子（ＩＤ）と、
無線リソース制御（ＲＲＣ）構成と、
のうちの１つ以上にさらに依存する、Ｃ５９に記載の非一時的なコンピュータ可読媒体。
［Ｃ６１］
前記コンピュータに、前記ＵＣＩビットの中の１つ以上の衝突ＵＣＩタイプを検出させるためのプログラムコードと、
前記コンピュータに、前記１つ以上の衝突ＵＣＩタイプのうちの１つ以上の、より低いランクのＵＣＩタイプを最大容量まで前記アップリンク制御チャネル送信に多重化させるためのプログラムコードと、ここにおいて、前記最大容量内で多重化されていない前記１つ以上の、より低いランクのＵＣＩタイプのうちの残りのものが、ドロップされる、
をさらに含む、Ｃ５１に記載の非一時的なコンピュータ可読媒体。
［Ｃ６２］
前記コンピュータに、２つ以上のアップリンク制御チャネルメッセージのためのいくつかのコード化ビットに、前記ＵＣＩビットのうちの１つ以上を統合してコード化させる、またはマッピングさせるためのプログラムコードをさらに含む、Ｃ５１に記載の非一時的なコンピュータ可読媒体。
［Ｃ６３］
前記コンピュータに、２つ以上のアップリンク制御チャネルメッセージのためのいくつかのコード化ビットに、前記ＵＣＩビットのうちの１つ以上を別々にコード化させる、またはマッピングさせるためのプログラムコードをさらに含む、Ｃ５１に記載の非一時的なコンピュータ可読媒体。
［Ｃ６４］
前記ＵＣＩは、
ハイブリッド自動再送要求（ＨＡＲＱ）肯定応答情報と、
スケジューリング要求（ＳＲ）と、
チャネルステート情報（ＣＳＩ）と、
のうちの１つ以上を含む、Ｃ５１に記載の非一時的なコンピュータ可読媒体。
［Ｃ６５］
前記１つ以上のＵＣＩビットは、前記ＵＥ上のアップリンクデータバッファのコンテンツと関連付けられる複数のＳＲビットを含む、Ｃ６４に記載の非一時的なコンピュータ可読媒体。
［Ｃ６６］
前記１つ以上のＵＣＩビットは、ＨＡＲＱ肯定応答情報、ＳＲ、およびＣＳＩのうちの１つ以上のための所定の順番にしたがって配置される、Ｃ６４に記載の非一時的なコンピュータ可読媒体。
［Ｃ６７］
前記割り当てられたリソースの中に２つ以上のアップリンク制御チャネルメッセージ、ここで、前記少なくとも１つの制御チャネル形式の２つ以上の異なるものは、同じサブフレームの中の前記２つ以上のアップリンク制御チャネルメッセージのために使用される、
をさらに含む、Ｃ５１に記載の非一時的なコンピュータ可読媒体。
［Ｃ６８］
前記少なくとも１つの制御チャネル形式は、前記ＵＥによって、動的に選択され、
前記コンピュータに、前記複数の制御チャネル形式の各々のためのしきい値容量を決定させるためのプログラムコードと、
前記コンピュータに、前記ＵＣＩのペイロードのサイズを前記しきい値容量と比較させるためのプログラムコードと、
前記コンピュータに比較させるための前記プログラムコードの結果に基づいて、前記コンピュータに、前記複数の制御チャネル形式から前記制御チャネル形式を選択させるためのプログラムコードと、
をさらに含む、Ｃ６７に記載の非一時的なコンピュータ可読媒体。
［Ｃ６９］
プログラムコードを記録した非一時的なコンピュータ可読媒体であって、前記プログラムコードは、
コンピュータに、アップリンク制御チャネル送信のためのリソースの割り当てを、基地局からユーザ機器（ＵＥ）によって、受信させるためのプログラムコードと、
前記コンピュータに、少なくとも１つの制御チャネル形式にしたがって１つ以上のアップリンク制御チャネルメッセージを、前記ＵＥによって、生成させるためのプログラムコードと、
前記コンピュータに、複数のコンポーネントキャリア（ＣＣｓ）から、送信ＣＣを、前記ＵＥによって、選択させるためのプログラムコードと、ここにおいて、前記送信ＣＣは、前記ＵＥによって検出されたクリアＣＣＡに基づいて選択され、
前記コンピュータに、前記割り当てられたリソースを介して、前記１つ以上のアップリンク制御チャネルメッセージを、前記基地局に、前記ＵＥによって、送信させるためのプログラムコードと、
を備える、非一時的なコンピュータ可読媒体。
［Ｃ７０］
前記コンピュータに、アップリンク制御情報（ＵＣＩ）ビットの送信のためにスケジューリングされた複数のキャリアと関連付けられたクリアチャネル評価（ＣＣＡ）情報に、少なくとも部分的に、基づいてＵＣＩのペイロードを、前記ＵＥで、決定させるためのプログラムコード、ここにおいて、前記１つ以上のアップリンク制御チャネルメッセージは、前記ＵＣＩのペイロードのＵＣＩビットを含む、
をさらに含む、Ｃ６９に記載の非一時的なコンピュータ可読媒体。
［Ｃ７１］
前記コンピュータに選択させるための前記プログラムコードは、
前記コンピュータに、前記ＵＥと関連付けられた前記複数のＣＣｓ上でＣＣＡを実行させるためのプログラムコードと、
前記コンピュータに、前記複数のＣＣｓの１つ以上のクリアＣＣｓ上で前記クリアＣＣＡを検出させるためのプログラムコードと、
前記コンピュータに、所定の基準に基づいて、前記送信ＣＣを前記１つ以上のクリアＣＣｓから選択させるためのプログラムコードと、
をさらに含む、Ｃ６９に記載の非一時的なコンピュータ可読媒体。
［Ｃ７２］
前記所定の基準は、
無線リソース制御（ＲＲＣ）構成と、
ＣＣインデックスと、
のうちの１つ以上を備える、Ｃ７１に記載の非一時的なコンピュータ可読媒体。
［Ｃ７３］
プログラムコードを記録した非一時的なコンピュータ可読媒体であって、前記プログラムコードは、
コンピュータに、基地局によってサーブされる各ＵＥのために構成される複数のコンポーネントキャリア（ＣＣｓ）のうちの１つ以上のクリアアップリンクＣＣｓを、前記基地局によって、識別させるためのプログラムコードと、
前記コンピュータに、各ＵＥが、アップリンク制御チャネルメッセージを送信することとなる前記１つ以上のクリアアップリンクＣＣｓのアップリンク制御ＣＣを決定させるためのプログラムコードと、
前記コンピュータに、各ＵＥからの前記アップリンク制御チャネルメッセージのために前記アップリンク制御ＣＣをモニタリングさせるためのプログラムコードと、
を備える、非一時的なコンピュータ可読媒体。
［Ｃ７４］
前記コンピュータに識別させるための前記プログラムコードは、
前記コンピュータに、各ＵＥから送信されたチャネル使用ビーコン信号（ＣＵＢＳ）のために前記複数のＣＣｓをモニタリングさせるためのプログラムコード、前記１つ以上のクリアアップリンクＣＣｓは、ＣＵＢＳを含む、
を含む、Ｃ７３に記載の非一時的なコンピュータ可読媒体。
［Ｃ７５］
前記コンピュータに識別させるための前記プログラムコードは、
前記１つ以上のクリアアップリンクＣＣｓ上でＣＵＢＳを検出することに応答して実行可能である、前記コンピュータに、前記１つ以上のクリアアップリンクＣＣｓ上で復調基準信号（ＤＭＲＳ）を検出させるためのプログラムコードをさらに含む、Ｃ７４に記載の非一時的なコンピュータ可読媒体。
［Ｃ７６］
ワイヤレス通信のために構成される装置であって、
少なくとも１つのプロセッサと、
前記少なくとも１つのプロセッサに結合されたメモリと、
ここにおいて、前記少なくとも１つのプロセッサは、
アップリンク制御チャネル送信のためのリソースの割り当てを、基地局からユーザ機器（ＵＥ）によって、受信することと、
前記ＵＥのために構成される１つ以上のキャリアと関連付けられたクリアチャネル評価（ＣＣＡ）情報に、少なくとも部分的に、基づいてアップリンク制御情報（ＵＣＩ）を、前記ＵＥで、決定することと、
前記割り当てられたリソースを介して、ＵＣＩを前記基地局に、前記ＵＥによって、送信することと、
を行うように構成され、
を備える、装置。
［Ｃ７７］
ＵＣＩのペイロードの総計のサイズは、前記ＵＥのために構成される前記１つ以上のキャリアと関連付けられたＣＣＡ情報に少なくとも部分的に基づいて決定される、Ｃ７６に記載の装置。
［Ｃ７８］
前記割り当てられたリソースを介して、ＵＣＩを送信するための少なくとも１つの制御チャネル形式を決定するための前記少なくとも１つのプロセッサの構成をさらに含む、Ｃ７６に記載の装置。
［Ｃ７９］
送信するための前記少なくとも１つのプロセッサの前記構成は、２つ以上の物理リソースブロック（ＰＲＢ）ｓにわたって２つ以上のアップリンク制御チャネルメッセージを並行して送信するための構成を含む、Ｃ７６に記載の装置。
［Ｃ８０］
前記少なくとも１つの制御チャネル形式、および前記割り当てられたリソースのサイズに基づいてコード化されるビットの数を決定することと、
前記ＵＣＩビットを、送信のためにコード化されるビットの前記数にコード化することと、
を行う前記少なくとも１つのプロセッサの構成をさらに含む、Ｃ７６に記載の装置。
［Ｃ８１］
アップリンク制御チャネル送信のためのチャネル容量を、前記ＵＥによって、決定すること、ここにおいて、決定するための前記少なくとも１つのプロセッサの前記構成は、
アップリンク制御チャネル送信のための２つ以上の物理リソースブロック（ＰＲＢｓ）を識別することと、
前記少なくとも１つの制御チャネル形式のためのビット容量を決定することと、ここにおいて、前記チャネル容量は、前記ビット容量によって乗算された前記２つ以上のＰＲＢｓにしたがって決定される、
を行う前記少なくとも１つのプロセッサの構成を含む、
を行う前記少なくとも１つのプロセッサの構成をさらに含む、Ｃ７６に記載の装置。
［Ｃ８２］
２つ以上のアップリンク制御チャネルメッセージの各々が、２つ以上の物理リソースブロック（ＰＲＢｓ）の単一のスロットの中で送信される前記２つ以上のアップリンク制御チャネルメッセージの各々の一部にのみ基づいて復号可能であるように前記２つ以上のアップリンク制御チャネルメッセージを符号化することを行う前記少なくとも１つのプロセッサの構成をさらに含む、Ｃ７６に記載の装置。
［Ｃ８３］
前記アップリンク制御チャネルの送信のために電力レベルを決定することを行う前記少なくとも１つのプロセッサの構成、ここにおいて、決定することを行う前記少なくとも１つのプロセッサの前記構成は、前記割り当てられたリソースのサイズ、および前記ＵＣＩのペイロードのサイズに基づき、送信することを行う前記少なくとも１つのプロセッサの前記構成は、前記決定された電力制御にしたがって実行される、をさらに含む、Ｃ７６に記載の装置。
［Ｃ８４］
２つ以上のＰＲＢｓのうちの第１のＰＲＢの中の２つ以上のアップリンク制御チャネルメッセージのうちの第１のものの送信のために、前記ＵＥによって、第１のリソースを識別することと、
前記２つ以上のＰＲＢｓのうちの第２のＰＲＢの中の前記２つ以上のアップリンク制御チャネルメッセージのうちの第２のものの送信のために前記ＵＥによって、第２のリソースを識別することと、ここにおいて、前記第２のリソースは、前記第１のリソースに基づいて決定される、
を行う前記少なくとも１つのプロセッサの構成をさらに含む、Ｃ７６に記載の装置。
［Ｃ８５］
前記第２のリソースの前記決定は、
ＣＣＡロケーションと、
前記基地局のセル識別子（ＩＤ）と、
無線リソース制御（ＲＲＣ）構成と、
のうちの１つ以上にさらに依存する、Ｃ８４に記載の装置。
［Ｃ８６］
前記ＵＣＩビットの中の１つ以上の衝突ＵＣＩタイプを検出することと、
前記１つ以上の衝突ＵＣＩタイプのうちの１つ以上の、より低いランクのＵＣＩタイプを最大容量まで前記アップリンク制御チャネル送信に多重化することと、ここにおいて、前記最大容量内で多重化されていない前記１つ以上の、より低いランクのＵＣＩタイプのうちの残りのものが、ドロップされる、
を行う前記少なくとも１つのプロセッサの構成をさらに含む、Ｃ７６に記載の装置。
［Ｃ８７］
２つ以上のアップリンク制御チャネルメッセージのためのいくつかのコード化ビットに、前記ＵＣＩビットのうちの１つ以上を統合してコード化する、またはマッピングすることを行う前記少なくとも１つのプロセッサの構成をさらに含む、Ｃ７６に記載の装置。
［Ｃ８８］
２つ以上のアップリンク制御チャネルメッセージのためのいくつかのコード化ビットに、前記ＵＣＩビットのうちの１つ以上を別々にコード化する、またはマッピングすることを行う前記少なくとも１つのプロセッサの構成をさらに含む、Ｃ７６に記載の装置。
［Ｃ８９］
前記ＵＣＩは、
ハイブリッド自動再送要求（ＨＡＲＱ）肯定応答情報と、
スケジューリング要求（ＳＲ）と、
チャネルステート情報（ＣＳＩ）と、
のうちの１つ以上を含む、Ｃ７６に記載の装置。
［Ｃ９０］
前記１つ以上のＵＣＩビットは、前記ＵＥ上のアップリンクデータバッファのコンテンツと関連付けられる複数のＳＲビットを含む、Ｃ８９に記載の装置。
［Ｃ９１］
前記１つ以上のＵＣＩビットは、ＨＡＲＱ肯定応答情報、ＳＲ、およびＣＳＩのうちの１つ以上のための所定の順番にしたがって配置される、Ｃ８９に記載の装置。
［Ｃ９２］
前記割り当てられたリソースの中に２つ以上のアップリンク制御チャネルメッセージ、ここで、前記少なくとも１つの制御チャネル形式の２つ以上の異なるものは、同じサブフレームの中の前記２つ以上のアップリンク制御チャネルメッセージのために使用される、
をさらに含む、Ｃ７６に記載の装置。
［Ｃ９３］
前記少なくとも１つの制御チャネル形式は、前記ＵＥによって、動的に選択され、
前記複数の制御チャネル形式の各々のためのしきい値容量を決定することと、
前記ＵＣＩのペイロードのサイズを前記しきい値容量と比較することと、
比較することを行う前記少なくとも１つのプロセッサの前記構成の結果に基づいて前記複数の制御チャネル形式から前記制御チャネル形式を選択することと、
を行う前記少なくとも１つのプロセッサの構成をさらに含む、Ｃ９２に記載の装置。
［Ｃ９４］
ワイヤレス通信のために構成される装置であって、
少なくとも１つのプロセッサと、
前記少なくとも１つのプロセッサに結合されたメモリと、
ここにおいて、前記少なくとも１つのプロセッサは、
アップリンク制御チャネル送信のためのリソースの割り当てを、基地局からユーザ機器（ＵＥ）によって、受信することと、
少なくとも１つの制御チャネル形式にしたがって１つ以上のアップリンク制御チャネルメッセージを、前記ＵＥによって、生成することと、
複数のコンポーネントキャリア（ＣＣｓ）から、送信ＣＣを、前記ＵＥによって、選択することと、ここにおいて、前記送信ＣＣは、前記ＵＥによって、検出されたクリアＣＣＡに基づいて選択され、
前記割り当てられたリソースを介して、前記１つ以上のアップリンク制御チャネルメッセージを、前記基地局に、前記ＵＥによって、送信することと、
を行うように構成され、
を備える、装置。
［Ｃ９５］
アップリンク制御情報（ＵＣＩ）ビットの送信のためにスケジューリングされた複数のキャリアと関連付けられたクリアチャネル評価（ＣＣＡ）情報に、少なくとも部分的に、基づいてＵＣＩのペイロードを、前記ＵＥで、決定することを行う前記少なくとも１つのプロセッサの構成、ここにおいて、前記１つ以上のアップリンク制御チャネルメッセージは、前記ＵＣＩのペイロードのＵＣＩビットを含む、をさらに含む、Ｃ９４に記載の装置。
［Ｃ９６］
選択することを行う前記少なくとも１つのプロセッサの前記構成は、
前記ＵＥと関連付けられた前記複数のＣＣｓ上でＣＣＡを実行することと、
前記複数のＣＣｓの１つ以上のクリアＣＣｓ上で前記クリアＣＣＡを検出することと、
所定の基準に基づいて、前記送信ＣＣを前記１つ以上のクリアＣＣｓから選択することと、
を行う前記少なくとも１つのプロセッサの構成をさらに含む、Ｃ９４に記載の装置。
［Ｃ９７］
前記所定の基準は、
無線リソース制御（ＲＲＣ）構成と、
ＣＣインデックスと、
のうちの１つ以上を備える、Ｃ９６に記載の装置。
［Ｃ９８］
ワイヤレス通信のために構成される装置であって、
少なくとも１つのプロセッサと、
前記少なくとも１つのプロセッサに結合されたメモリと、
ここにおいて、前記少なくとも１つのプロセッサは、
基地局によってサーブされる各ＵＥのために構成される複数のコンポーネントキャリア（ＣＣｓ）のうちの１つ以上のクリアアップリンクＣＣｓを、前記基地局によって、識別することと、
各ＵＥが、アップリンク制御チャネルメッセージを送信することとなる前記１つ以上のクリアアップリンクＣＣｓのアップリンク制御ＣＣを決定することと、
各ＵＥからの前記アップリンク制御チャネルメッセージのために前記アップリンク制御ＣＣをモニタリングすることと、
を行うように構成され、
を備える、装置。
［Ｃ９９］
識別することを行う前記少なくとも１つのプロセッサの前記構成は、各ＵＥから送信されたチャネル使用ビーコン信号（ＣＵＢＳ）のために前記複数のＣＣｓをモニタリングすることを行う前記少なくとも１つのプロセッサの構成を含む、前記１つ以上のクリアアップリンクＣＣｓは、ＣＵＢＳを含む、
を含む、Ｃ９８に記載の装置。
［Ｃ１００］
識別することを行う前記少なくとも１つのプロセッサの前記構成は、前記１つ以上のクリアアップリンクＣＣｓ上でＣＵＢＳを検出することに応答して実行可能である、前記１つ以上のクリアアップリンクＣＣｓ上で復調基準信号（ＤＭＲＳ）を検出するための構成をさらに含む、Ｃ９９に記載の装置。